(57)【特許請求の範囲】
【請求項１】
家電機器であって、
ユーザから入力信号を受信するように構成される入力部と、
前記入力部が挿入される音の出入ホールを備えるコントロールパネルと、
前記コントロールパネルの背面に配置された音の出力部であって、前記入力部は、隙間を形成するために、前記音の出入ホールのエッジから離隔されて、音の情報が前記隙間を介して前記家電機器の外部に伝達される音の出力部と、を備え、
前記家電機器は、前記音の出力部から出力された前記音の情報を前記隙間に案内する音の案内部をさらに備える、家電機器。
【請求項２】
前記音の出力部は、前記コントロールパネルの背面から所定間隔が離隔された、請求項１に記載の家電機器。
【請求項３】
前記音の出力部は、前記コントロールパネルの背面の約３ｍｍ以内に離隔された、請求項１に記載の家電機器。
【請求項４】
前記音の出力部は、外部に音を出力するブザーを備える、請求項１に記載の家電機器。
【請求項５】
前記音の出力部は、前記音の出入ホールの一側から所定間隔が離隔された、請求項１に記載の家電機器。
【請求項６】
前記入力部及び前記音の出入ホールは、円状にそれぞれ形成され、前記入力部は、前記入力部の中心と前記音の出入ホールの中心とが互いに異なる位置に配置されるように前記音の出入ホールに挿入される、請求項１に記載の家電機器。
【請求項７】
前記音の案内部は、前記コントロールパネルの背面に形成される請求項１に記載の家電機器。
【請求項８】
前記音の案内部は、前記コントロールパネルの背面に形成される音の流路を備える、請求項１に記載の家電機器。
【請求項９】
前記音の流路は、前記コントロールパネルの背面に引入される、請求項８に記載の家電機器。
【請求項１０】
前記入力部は、前記音の流路に案内される前記音の情報が外部に伝達される一部を備え、前記一部は、前記入力部の一側に形成される、請求項８に記載の家電機器。
【請求項１１】
前記一部は、前記入力部に引入され、前記音の情報は、外部に伝達される、請求項１０に記載の家電機器。
【請求項１２】
前記音の案内部は、前記コントロールパネルの背面に形成されて前記音の出力部から前記音の出入ホールに前記音の情報を案内する少なくとも一つの音の案内リブを備える、請求項１に記載の家電機器。
【請求項１３】
前記少なくとも一つの音の案内リブは、コントロールパネルの背面に配置された第１音の案内リブを備える、請求項１２に記載の家電機器。
【請求項１４】
前記第１音の案内リブは、前記音の出力部の上部エッジにほぼ隣接した第１位置から前記音の出入ホールから離隔された第２位置まで延びる、請求項１３に記載の家電機器。
【請求項１５】
前記第２位置から前記音の出入ホールまでの距離は、約１０ｍｍである、請求項１４に記載の家電機器。
【請求項１６】
前記少なくとも一つの音の案内リブは、第２音の案内リブをさらに備え、前記第２音の案内リブは、前記第１音の案内リブから離隔される所定の距離に配列される、請求項１３に記載の家電機器。
【請求項１７】
前記第１及び第２音の案内リブは、前記音の出力部の上部エッジに略隣接した第１部分から前記音の出入ホールから離隔される第２位置まで延びる、請求項１６に記載の家電機器。
【請求項１８】
前記第２位置から前記音の出入ホールまでの距離は、約１０ｍｍである、請求項１７に記載の家電機器。
【請求項１９】
前記コントロールパネルの外部から流入する洗濯水が前記音の出入ホールを介してコントロールパネルの背面に流入することを防止する防水リブをさらに備える請求項１２に記載の家電機器。
【請求項２０】
前記防水リブの一側は開放され、前記音の情報が外部に伝達される、請求項１９に記載の家電機器。
【請求項２１】
前記音の案内部は、前記音の出力部を収容するように構成された音の案内ハウジングを備え、
前記音の案内ハウジングは、
前記音の出力部に隣接して配置された第１開放部３８２であって、前記音の情報は、前記第１開放部３８２を介して導入される、第１開放部３８２と、
前記音の出入ホールに向ける第２開放部３８１であって、前記第１開放部３８２を介して導入される前記音の情報が出力される、第２開放部３８１と、
前記音の案内ハウジングの内部空間を形成する通路であって、前記音の情報は、前記第１開放部から前記第２開放部に流入し、前記内部空間は、前記第１開放部及び前記第２開放部でのみ開放される、通路を備える、請求項１７に記載の家電機器。
【請求項２２】
前記音の出力部の少なくとも一側は、前記音の案内ハウジングに挿入される、請求項２１に記載の家電機器。
【請求項２３】
前記音の案内ハウジングの一側とその他側の間には、所定の角度が形成される、請求項２１に記載の家電機器。
【請求項２４】
前記音の案内ハウジングは、前記第２出力部に隣接するように配置された第１開口と前記音の出入ホールに隣接するように配置された第２の開口とを備える、請求項２１に記載の家電機器。
【請求項２５】
前記入力部の中心と前記音の出入ホールの中心とが互いに異なる位置に配置される、請求項６に記載の家電機器。
【発明の詳細な説明】
【技術分野】
【０００１】
本発明は、家電機器及び家電機器システムに関する。
【背景技術】
【０００２】
家電機器及び家電機器システムは公知されている。しかしながら、これらの家電機器及び家電機器システムは、いろいろな短所を有している。
【発明の概要】
【発明が解決しようとする課題】
【０００３】
本明細書に開示される本発明の実施の形態に係る家電機器及び家電機器システムは、音の情報を効果的に外部に案内して放出するためのものである。
【課題を解決するための手段】
【０００４】
本明細書に開示された実施の形態に係る家電機器及び家電機器システムは、ユーザから入力されうる入力信号を受信する入力部と、前記入力部が挿入されて締結され、音の情報が出入する音の出入ホールの形成されたコントロールパネルと、前記コントロールパネルの背面に配置されて、前記音の出入ホールを介して家電機器の製品情報に対応する前記音の情報を外部に放出する音の出力部と、を備える。
【図面の簡単な説明】
【０００５】
【図１】本発明に係る家電機器の一実施の形態である洗濯物処理器機の一実施の形態を示す前面斜視図である。
【図２】図１のII−II線に沿う洗濯物処理器機の横断面図である。
【図３】図１に示す洗濯物処理器機のコントロールパネルを示す前面斜視図である。
【図４】図１に示す洗濯物処理器機のコントロールパネルの一部を示す背面斜視図である。
【図５】本発明の実施の形態に係る典型的な音の出力部と音の案内部とを示す斜視図である。
【図６】本発明の実施の形態に係る典型的な入力部を示す斜視図である。
【図７】本発明の実施の形態に係る他の典型的な音の出力部と音の案内部とを示す斜視図である。
【図８】本発明の実施の形態に係るさらに他の典型的な音の出力部と音の案内部とを示す斜視図である。
【図９】本発明の実施の形態に係るさらに他の典型的な音の出力部と音の案内部とを示す斜視図である。
【図１０】本発明の実施の形態に係る他の典型的な音の出力部を示す斜視図である。
【図１１】本発明の実施の形態にさらに他の典型的な音の出力部と音の案内部とを示す斜視図である。
【図１２】図１１の音の案内ハウジングの斜視図である。
【発明を実施するための形態】
【０００６】
本明細書に開示した本発明に係る実施の形態は、家電機器及び家電機器システムに関する。ただし、以下では、前記家電機器及び家電機器システムの実施の形態は、例えば洗濯物処理機器及び洗濯物処理機器システムを利用して説明する。しかしながら、本実施の形態は、洗濯物処理機器及び洗濯物処理システムに制限をおかず、他の家電機器に採用されることができる。このような家電機器は、例えば、ＴＶ、エアコン、洗濯機、冷蔵庫、電気釜、又は電子レンジ又は従来のオーブンが含まれることができる。
【０００７】
欧州特許第０５１０５１９号には、家電機器の故障情報を前記家電機器に接続したモデムを介して電話網を利用してサービスセンターに伝達する技術が記載されている。このような技術の場合、前記家電機器には、モデムが常時接続していなければならない。しかしながら、洗濯物処理機器のような家電機器は、室外に設置されることができ、これにより、前記洗濯物処理機器と電話網とを接続するためには、場所的制約を考慮しなければならない。
【０００８】
米国特許第５，９８７，１０５には、電話網を利用して家電機器の故障情報を可聴周波数帯の信号音に変換し、これを電話機を介してサービスセンターなどに送信する技術を開示している。しかしながら、家電機器の故障情報が可聴周波数帯の信号音に変換された後、これを電話機の受話器に再度伝達する過程において、周辺環境によって信号干渉が生じうる。また、前記信号音が電話網を介して送信される過程において、電話網の特性によってデータの損失が発生できるという問題点がある。さらに、前記信号音を外部に放出するとき、前記信号音を外部に正確に伝達しなければならない必要性がある。しかしながら、従来の家電機器は、前記信号音を外部に効果的に伝達するための構造などが形成されなかったので、前記信号音が分散されるという問題点があった。
【０００９】
また、前記信号音は、外部端末機を介して外部制御部に送信されて製品の状態を把握する。この場合、前記信号音が正確に前記家電機器から放出されないと、前記外部制御部は、前記信号音を正確に処理できないという問題点があった。
【００１０】
図１は、本発明の実施の形態に係る典型的な家電機器として洗濯物処理器機の前面斜視図である。図２は、図１のII−IIに沿う洗濯物処理器機の横断面図である。図３は、図１の洗濯物処理器機のコントロールパネルの斜視図である。図４は、図１の洗濯物処理器機のコントロールパネルの一部の背面斜視図である。
【００１１】
図１ないし図４に示すように、洗濯物処理機器１００は、キャビネット１１０と、キャビネット１１０の内部に配置され、洗濯水が貯蔵されるタブ１２３と、タブ１２３の内側に配置されて洗濯物を収容するようになっているドラム１２２と、ドラム１２２に締結されてドラム１２２に駆動力を伝達する駆動装置１４０、洗濯物処理機器１００の外部から洗濯水をドラム１２２及びタブ１２３に供給する洗濯水供給装置（図示せず）と、タブ１２３の洗濯水を洗濯物処理機器１００の外部に排出する排水装置（図示せず）と、を備えることができる。キャビネット１１０は、キャビネット本体１１１と、キャビネット本体１１１と締結されて洗濯物がドラム１２２から出入可能な洗濯物出入ホール１１２ａが形成されたカバー１１２と、カバー１１２の上側に配置されてキャビネット本体１１１と締結されうるコントロールパネル１１５と、コントロールパネル１１５の上側に配置されてキャビネット本体１１１と締結されるトッププレート１１５ｂと、を備えることができる。
【００１２】
洗濯物処理機器１００は、図１に示すように、例えば、メインコントローラー１４５及びメイン音の発生部１４７をさらに備えることができる。メインコントローラー１４５は、洗濯機処理機器１００の機能を制御する。メイン音発生部１４７は、例えば警告音又はアラームのような一般的に音を提供するブザーであり、ユーザに警告音を提供し、洗濯物処理機器１００の所定の状態をユーザに音声表示して提供できる。
【００１３】
コントロールパネル１１５は、前面１１９と、入力信号がユーザから受信されうる入力部１１６と、ユーザから操作信号を受信する操作信号入力部１１７と、外部のユーザに洗濯物処理機器１００の状態を表示するディスプレイ部１１８と、を備えることができる。一方、ディスプレイ部１１８の背面には、ディスプレイ部制御部（図示せず）が配置され、操作信号入力部１１７の背面には、ボディー部１１７ａが配置される。ユーザが操作信号入力部１１７を介して前記操作信号を入力すると、操作信号入力部１１７のボディー部１１７ａは、信号を発生させて制御部（図示せず）に前記操作信号を送信する。一方、前記ディスプレイ制御部は、前記制御部から洗濯物処理機器１００の製品情報に対応する信号を洗濯物処理機器１００の外部に出力する。したがって、ユーザは、ディスプレイ部１１８を介して出力された信号に基づいて洗濯物処理機器１００の状態を確認することができる。
【００１４】
以下、コントロールパネル１１５の組立過程について説明する。組立者は、コントロールパネルボディー部１１５ｂ−ｅにコントロールパネルカバー又は前面１１９を締結できる。前記コントロールパネルカバー１１９と前記コントロールパネルボディー部１１５ｂ−ｅとは、多様な方法で締結できる。前記コントロールパネルカバー１１９と前記コントロールパネルボディー部１１５ｂ−ｅとは、固定突起と固定突起溝（図示せず）とが形成されて締結されうる。また、前記コントロールパネルカバー１１９と前記コントロールパネルボディー部１１５ｂ−ｅとは、ねじで締結されうる。前記コントロールパネルカバー１１９及び／又は前記コントロールパネルボディー部１１５ｂ−ｅには、入力部１１６及び操作信号入力部１１７が挿入される締結ホールが形成されることができる。入力部１１６が締結される部分は、音の情報が出入する音の出入ホール１１４が形成されることができる。前記コントロールパネルボディー部１１５ｂ−ｅの背面１１９ａには、音の出力部１７０が配置されることができる。音の出力部１７０は、操作信号制御部１１７のボディー部１１７ａの一側に締結されることができる。しかしながら、音の出力部１７０の位置は、上記の位置に限定されない。すなわち、音の出力部１７０は、音の情報を外部に放出するようにコントロールパネル１１５の背面１１９ａに位置できる。前記音の情報は、洗濯物処理機器１００の製品情報が変換されて外部に放出されうる。
【００１５】
以下、本発明の実施の形態によって、洗濯物処理機器及び洗濯物システムを一つの例として例示された家電機器及び家電機器システムを利用して製品情報を音の情報に変換する過程について説明する。ユーザは、前記音の情報を出力するように操作信号入力部１１７を作動させることができる。ユーザが操作信号入力部１１７を介して信号を入力すると、前記制御部は、前記製品情報を変換部（図示せず）に送信する。前記変換部は、前記製品情報を前記製品情報に対応する前記音の情報に変換して、その音の情報を音の出力部１７０に送信する。すると、音の出力部１７０は、受信された前記音の情報を外部に放出できる。このとき、ユーザは、前記音の情報を送信する、洗濯物処理機器１００として示された家電機器システムの外部端末機（図示せず）を洗濯物処理機器１００に近接させて、外部に形成された家電機器システムの外部制御部（図示せず）に送信できる。前記外部制御部は、前記音の情報を介して洗濯物処理機器１００の製品情報を読み取って必要な措置を行なう。前記製品情報は、多様な方式で構成されることができる。すなわち、前記製品情報は、洗濯物処理機器１００の故障情報、モデル情報など多様な情報を含むことができる。また、前記外部端末機は、ＰＤＡ、携帯電話及びこれと類似の装置などのような外部制御部に前記音の情報を送信するすべての手段を備えることができる。したがって、ユーザは、前記製品情報を前記外部制御部に容易に送信できる。次は、以下、前記音の情報が外部に放出される多様な方法について述べる。
【００１６】
図５は、本発明の実施の形態に係る典型的な音の出力部と音の案内部とを示す斜視図である。図６は、本発明の実施の形態に係る典型的な入力部を示す斜視図である。
【００１７】
図５及び図６に示すように、コントロールパネル１１５の背面１１９ａには、音の出力部１７０が配置されることができる。また、コントロールパネル１１５の背面１１９ａには、音の出力部１７０から音の出入ホール１１４へ前記音の情報を案内する音の案内部１８０が備えられる。音の案内部１８０は、コントロールパネル１１５の背面１１９ａに形成される音の流路１８０を備える。すなわち、音の流路１８０は、コントロールパネル１１５の背面１１９ａに付着又は隣接するように位置できる。音の流路１８０の一側がコントロールパネル１１５の背面１１９ａに付着されているので、音の流路１８０が付着された部分は、コントロールパネル１１５の他の部分より低く形成されることができる。一方、音の出力部１７０は、音の出入ホール１１４から所定間隔が離隔されるように配置されることができる。
【００１８】
以下、音の情報が音の出力部１７０から音の出入ホール１１４に送信される過程について説明する。音の情報は、音の出力部１７０から出力されることができる。音の出力部１７０は、コントロールパネル１１５の背面１１９ａから所定間隔が離隔されるように配置されることができる。例えば、音の出力部１７０は、コントロールパネル１１５の背面１１９ａの約３ｍｍ以内にありえ、その以外の適当な距離にありうる。音の出力部１７０がコントロールパネル１１５の背面１１９ａから所定間隔が離隔されないと、音の出力部１７０から出力される音の情報は、コントロールパネル１１５に衝突し、これにより、音の情報は、散らばるか、又は屈折することができる。結果的に、前記音の情報が正確にそしてはっきりと外部に放出されない。
【００１９】
音の出力部１７０は、多様な方式で形成されることができる。すなわち、音の出力部１７０は、前記音の情報を外部に放出できるすべての装置を備えることができる。したがって、音の出力部１７０は、音又は音声を外部に放出できる。説明の便宜のために、音の出力部１７０は、典型的な音の出力部としてブザーを利用して説明する。
【００２０】
音の情報がブザー１７０から出力されると、前記音の情報は、ブザー１７０の周辺に伝達されうる。すると、音の情報は、音の流路（sound guide）１８０を介して流動するようになる。音の流路１８０は、音の出力部１７０から音の出入ホール１１４まで延びるように形成されることができる。音の情報は、音の流路１８０に進入して密集するようになる。したがって、音の情報は、音の流路１８０を介して音の出入ホール１１４に効果的で正確に伝達されることができる。音の情報が音の出入ホール１１４を介して外部に放出される場合、音の情報は、前記外部端末機を介して前記外部制御部に送信される。外部制御部は、音の情報の強度及び正確度に基づいて製品情報を正確に読み取り可能であるかどうかを判断できる。しかしながら、音の流路１８０が提供されない場合、音の情報は、音の出入ホール１１４を介して正確に伝達されない可能性がある。したがって、音の流路１８０は、前記音の情報を正確に外部に伝達できる。
【００２１】
一方、音の出入ホール１１４には、上述したように、入力部１１６が挿入されうる。入力部１１６は、コントロールパネル１１５の背面１１９ａと締結されるボディー部１１６ｂと、ユーザから入力信号を受信するプレス部１１６ａと、を備えることができる。プレス部１１６ａが音の出入ホール１１４に挿入されると、ボディー部１１６ｂは、音の出入ホール１１４が形成されることができるコントロールパネル１１５の背面１９９ａと密着して締結されうる。ボディー部１１６ｂがコントロールパネル１１５の背面１１９ａと密着すると、ボディー部１１６ｂによって音の流路１８０が遮断されうる。したがって、入力ボディー部１１６ｂの一側は、音の流路１８０を介して伝達される音の情報が外部に放出されるように、コントロールパネル１１５の背面１１９ａに付着されうる。すなわち、ボディー部１１６ｂがコントロールパネル１１５の背面１１９ａに密着されうるが、音の情報が通過できる通路がボディー部１１６の一側に形成された部分１１６ｃにより形成されることができる。これにより、音の情報は、前記通路を介して外部に容易に放出されうる。
【００２２】
入力部１１６と音の出入ホール１１４とは、円状に形成されることができる。この場合、入力部１１６は、入力部１１６の中心と音の出入ホール１１４の中心とが互いに異なった位置に配置されうるように、音の出入ホール１１４に挿入されることができる。すなわち、入力部１１６は、入力部１１６が音の出入ホール１１４の一側により密接して偏るように音の出入ホール１１４に挿入されることができる。プレス部１１６ａは、音の出入ホール１１４のエッジから所定間隔が離隔されて隙間が形成されることができる。音の情報は、前記隙間を介して外部に放出される。この場合、音の情報が放出される部分が他の部分に比べてプレス部１１６ａと音の出入ホール１１４との間に隙間が大きくなるように、プレス部１１６ａが音の出入ホール１１４に偏るように挿入されることができる。また、前記隙間は、音の情報が音の流路１８０と入力部１１６との間に形成された部分１１６ｃと隣接するように形成されることができる。したがって、音の情報は、外部端末機を介して前記外部制御部に前記正確に伝達されることができる。結果的に、ユーザは、洗濯物処理機器１００の状態を正確にサービスセンターに提供できる。
【００２３】
一方、本発明の実施の形態に係る洗濯物処理機器１００は、前記に説明された構造に限定されない。すなわち、音の出入ホール１１４は、既存に用いられる入力部１１６が締結されることに限定されない。音の出入ホール１１４は、多様な位置に形成されることができる。例えば、音の出入ホール１１４は、コントロールパネル１１５の側面１１５ｂ−ｅに形成されることができる。また、音の出入ホール１１４は、コントロールパネル１１５の前面１１９ａに形成されることができる。また、音の出入ホール１１４は、コントロールパネル１１５に形成されずにキャビネット１１０に形成されることができる。音の出入ホール１１４は、音の情報が洗濯物処理機器１００から正確に放出される最適の位置に形成されることができる。音の案内部１８０は、前記音の情報を音の出力部１７０から音の出入ホール１１４に正確に案内するように形成されることができる。
【００２４】
図７は、本発明の実施の形態に係る他の典型的な音の出力部と音の案内部とを示す斜視図である。前述した実施の形態と同じ参照符号は、同じ部材を示し、以下では、前述した実施の形態と異なった点を中心に説明する。
【００２５】
図７に示すように、音の出力部２７０は、前記で説明したように、コントロールパネル１１５の背面１１９ａに配置されることができる。一つ以上の音の案内リブ２８０を備えることのできる音の案内部２８０が提供されることができる。すなわち、音の案内リブ２８０は、コントロールパネル１１５の背面１１９ａに形成される第１音の案内リブ２８１と、第１音の案内リブ２８１と対応するように形成される第２音の案内リブ２８２と、を備えることができる。第１音の案内リブ２８１は、コントロールパネル１１５の背面１１９ａに形成されることができ、音の情報を案内できる。第２音の案内リブ２８２は、前記音の情報が正確に音の出入ホール２１４にガイドされるように、第１音の案内リブ２８１と対応するように配置されることができる。音の情報は、音の出力部２７０を介して外部に放出されうる。音の情報は、前記で説明したように、洗濯物処理機器１００の製品情報を含むことができる。
【００２６】
以下、前記音の情報が流動される過程について説明する。音の情報が音の出力部２７０から放出されると、音の情報は、コントロールパネル１１５の背面１１９ａと衝突して、コントロールパネル１１５の背面１１９ａに拡散される。第１及び第２音の案内リブ２８１及び２８２は、音の情報を案内できる。案内された音の情報は、前記で説明した方法とほぼ同じ方法で音の出入ホール２１４を介して外部に放出されうる。
【００２７】
音の出入ホール２１４には、音の出入ホール２１４を介してコントロールパネル１１５の背面１１９ａに洗濯水が侵入するのを防止し、コントロールパネル１１５の背面に生成される水分が入力部１１６に流入するのを防止する防水部が形成される。防水部２９０は、コントロールパネル１１５の背面１１９ａに形成された防水リブ２９１の形態になることができ、図７に示すように、音の出入ホール２１４の周囲に配置されることができる。しかしながら、防水リブ２９１は、音の案内部２８０を介して伝達される音の情報を遮断できる。したがって、防水リブ２９１の一側には、音の情報が音の出入ホール２１４を介して通過できるように開放部２９２を備えることができる。音の情報は、防水リブ２９１の開放される側面を介して音の出入ホール２１４に伝達されることができる。防水リブ２９１の高さは、例えば、略１ｍｍより大きいか又は同一になりうる。また、防水部は、コントロールパネル１１５の背面１１９ａの溝又は薄く処理された部分（ｔｈｉｎｎｅｄ  ｏｕｔ  ｐｏｒｔｉｏｎ）の形態になりうる。
【００２８】
音の案内部２８０は、多様な方式で形成されることができる。図７に示すように、音の案内部２８０は、音の出力部２７０から音の出入ホール２１４まで一直線に形成されることができる。第１音の案内リブ２８１は、コントロールパネル１１５の背面１１９ａに一直線に形成されることができる。第２音の案内リブ２８２は、コントロールパネル１１５の背面１１９ａに形成されることができ、第１音の案内リブ２８１から所定間隔が離隔されうる。また、第１及び第２音の案内リブ２８１及び２８２は、一つの拡張リブとして形成されることができる。
【００２９】
第１音の案内リブ２８１と第２音の案内リブ２８２とは、同じ距離に対応するように離隔されなくても良い。すなわち、第１音の案内リブ２８１は、音の出力部２７０の中心から所定距離及び角度でコントロールパネル１１５に形成されることができる。第２音の案内リブ２８２は、音の出力部２７０の中心から所定距離及び角度でコントロールパネル１１５に形成されることができる。第１及び第２音の案内リブ２８１及び２８２が所定角度でコントロールパネル１１５の背面１１９、ａに形成される場合に、第１音の案内リブ２８１と第２音の案内リブ２８２との間の幅は、音の出力部２７０に近接した部分においてより狭くありうる。しかしながら、本明細書に開示された実施の形態に係る洗濯物処理機器１００は、上述した構造に制限されない。すなわち、音の案内部２８０は、音の出入ホール２１４に音を正確に放出できるならば、いかなる形態であっても良い。
【００３０】
したがって、本明細書に開示される本発明の実施の形態に係る洗濯物処理機器１００は、洗濯機処理機器１００の外部に音を正確に伝達できる。正確に外部に伝達された音の情報は、前記外部制御部によって洗濯物処理機器１００の正確な製品情報を判断するのに効果的である。また、音の出入部２１４がコントロールパネル１１５として従来の方式で形成された部分を活用するので、設計の変更なしで音の情報を外部に正確に伝達できる。
【００３１】
一方、本発明の実施の形態に係る洗濯物処理機器１００は、上述した構造に限定されない。すなわち、音の出入ホール２１４は、従来に用いられる入力部１１６が締結されることに限定されない。したがって、音の出入ホール２１４は、多様な位置に形成されることができる。例えば、音の出入ホール２１４は、コントロールパネル１１５の側面１１５ｂ−ｅに形成されることができる。また、音の出入ホール２１４は、コントロールパネル１１５の前面１１５に形成されることができる。また、音の出入ホール２１４は、コントロールパネル１１５に形成されずにキャビネット１１０に形成されることができる。音の出入ホール２１４は、音の情報が正確に洗濯物処理機器１００から放出される最適の位置に形成されることができる。音の案内部２８０は、音の情報を音の出力部２７０から音の出入ホール２１４に案内するように形成されることができる。
【００３２】
図８は、本発明の実施の形態に係る音の出力部と音の案内部の他の実施の形態を示す斜視図である。前述した実施の形態と同じ符号は、同じ部材を示し、以下では、前述した実施の形態と異なる点を中心に説明する。
【００３３】
図８の実施の形態は、図７の実施の形態と似ている。しかしながら、本実施の形態において、第１及び第２音の案内リブ２８１及び２８２は、本実施の形態においてブザーとして示した音の出力部２７０の上部エッジに概略隣接した第１位置から、音の出入ホール２１４から離隔された第２位置まで延びる。第１及び第２音の案内リブ２８１及び２８２の終了地点（例えば、第２位置）から、開口２９２を有する防水リブ２９１として本実施の形態に示す防水部を備えることができる、音の出入ホール２１４までの距離ｄは、例えば、約１０ｍｍになりうる。
【００３４】
図９は、本発明の実施の形態に係る他の典型的な音の出力部と音の案内部を示す斜視図である。上述した図面符号が同じ部分は、同じ構成要素を示し、繰り返される説明は省略する。
【００３５】
図９の実施の形態は、図７の実施の形態と似ている。しかしながら、本実施の形態は、第１音の案内リブ２８１を唯一に備える。第１音の案内リブ２８１は、本実施の形態においてブザーとして示す音の出力部２７０の上部エッジに概略隣接した第１位置から音の出入ホール２１４から離隔される第２位置まで延びる。第１音の案内リブ２８１の終了地点から、開口２９２を有する防水リブ２９１として本実施の形態に示す防水部を備えることができる、音の出入ホール２１４までの距離ｄは、例えば、約１０ｍｍになることができる。
【００３６】
図１０は、本発明の実施の形態に係る他の典型的な音の出力部を示す斜視図である。上述した図面符号が同じ部分は、同じ構成要素を示し、繰り返される説明は省略する。
【００３７】
図１０の実施の形態は、図７の実施の形態と似ている。しかしながら、本実施の形態は、洗濯物処理機器１００の外部に音を正確に伝達する必要がない音の案内部２８０を使用しない。
【００３８】
図１１は、本発明の実施の形態に係る他の典型的な音の出力部と音の案内部とを示す斜視図である。図１２は、図１１の音の案内ハウジングの斜視図である。上述した図面符号が同じ部分は、同じ構成要素を示し、繰り返される説明は省略する。
【００３９】
図１１に示すように、洗濯物処理機器１００において、音の案内部３８０は、音の案内ハウジング３８０をさらに備えることができる。音の案内ハウジング３８０は、音の出力部３７０から発生した音の情報を音の出入ホール３１４に案内できる。前記で説明した方式で、音の出力部３７０は、コントロールパネル１１５の背面１１９ａに配置されることができる。音の出力部３７０は、コントロールパネル１１５の背面から所定間隔が離隔されるように配置されることができる。この場合、音の案内ハウジング３８０の一側は、音の出力部３７０の一部分が挿入されうるように開放部分３８２を備えることができる。音の案内ハウジング３８０は、音の情報が内部空間を介して伝達されうるように内部に形成された内部空間を備えることができる。音の案内ハウジング３８０は、音の情報が外部に伝達されうるように第２開口部分３８１を備えることができる。音の案内ハウジング３８０の第２開口部分３８１は、音の出入ホール３１４に対向できる。したがって、音の情報は、音の出力部３７０から音の出入ホール３１４に正確に伝達されることができる。
【００４０】
以下、音の情報の伝達過程について説明する。前記で説明したように、音の情報は、音の出力部３７０から洗濯物処理器機の外部に放出される。すなわち、音の情報は、音の案内ハウジング３８０の第１開放部分３８２を介して音の案内ハウジング３８０の内部空間に伝達されうる。前記音の情報は、音の案内ハウジング３８０の内部に沿って流動でき、上述したような音の出入ホール３１４に対向する第２開放部分３８１を介して音の案内ハウジング３８０の外部に放出されうる。したがって、音の情報は、音の案内ハウジング３８０の内部空間に沿って流動でき、音の出入ホール３１４に放出できる。音の情報は、音の出入ホール３８０を介して外部に伝達されることができる。
【００４１】
音の案内ハウジング３８０は、多様な形態で形成されることができる。図１１に開示されたように、音の案内ハウジング３８０は、６面に成されることができる。また、音の案内ハウジング３８０は、６面体に形成されることができる。しかしながら、音の案内ハウジング３８０は、例えば、四角形のピラミッド又は円状に形成されることもできる。すなわち、音の案内ハウジング３８０は、音の情報を内部空間を介して音の出入ホール３１４に案内できるすべての形態を含むことができる。音の出入ホール３１４に案内された音の情報は、上述したように、外部端末機を介して外部制御部に伝達されることができる。したがって、ユーザは、外部端末機を介して外部制御部に音の情報を正確に伝達できる。また、音の案内部３８０が形成されない場合に、音の情報が歪められるのを防止できる。
【００４２】
本発明の実施の形態に係る洗濯物処理機器は、上述した構造に限定されない。すなわち、音の出入ホール３１４は、既存に用いられる入力部１１６が締結されることに限定されない。したがって、音の出入ホール３１４は、多様な位置に形成されることができる。例えば、音の出入ホール３１４は、コントロールパネル１１５の側面に形成されることができる。また、音の出入ホール３１４は、コントロールパネル１１５の前面１１９に形成されることができる。また、音の出入ホール３１４は、コントロールパネル１１５に形成されずにキャビネット１１０に形成されることができる。これとは異なり、音の出入ホール３１４は、音の情報が洗濯物処理機器１００から放出される最適の位置に配置されることができる。音の案内部３８０は、音の情報を音の出力部３７０から音の出入ホール３１４に案内するように形成されることができる。
【００４３】
本明細書において参照した「一実施の形態」、「一つの実施の形態」、「例示的な実施の形態」などと記載された表現は、本実施の形態に関連して説明された特定機能、構造又は特徴が本発明の少なくとも一つの実施の形態に含まれるのを意味する。本明細書の複数個所にそのような文句の表現は、同じ実施の形態においてすべて引用しなければならないものではない。また、そのような特定機能、構造又は特徴がある実施の形態と関連して説明されるとき、様々な実施の形態のうち、他の実施の形態と関連してそのような機能、特徴又は特徴が適用されうるというのは、本技術分野における熟練した者の観点で分かる。
【００４４】
たとえ、本発明の実施の形態は、多様な例示的な実施の形態を参照して説明したが、本技術分野における熟練した者は、本開示原理の精神と範囲内で本技術分野における熟練した者らにより、多様な他の変更案及び実施の形態が誘導されうることが分かるはずである。特に、本願明細書、図面及び請求の範囲内で実際組合装置の構成要素及び／又は配列により、多様な変更案及び修正案がありうる。また、本技術分野における熟練した者らは、構成要素及び／又は装置において変更案及び修正案と共に、代替案がありうることは自明である。
【産業上の利用可能性】
【００４５】
上述のように、本明細書で開示した実施例は、家電機器の製品情報に対応する音の情報を外部に放出するように効率的に案内する。さらに、本明細書で開示した実施例は、音の情報を、既存の入力装置の接続穴を通して外部に放出し、設計変更に起因するコストを低減することができる。
【図１】
0005453520.tif 000002
【図２】
0005453520.tif 000003
【図３】
0005453520.tif 000004
【図４】
0005453520.tif 000005
【図５】
0005453520.tif 000006
【図６】
0005453520.tif 000007
【図７】
0005453520.tif 000008
【図８】
0005453520.tif 000009
【図９】
0005453520.tif 000010
【図１０】
0005453520.tif 000011
【図１１】
0005453520.tif 000012
【図１２】
0005453520.tif 000013